(57)【特許請求の範囲】
【請求項１】
相対向する長方形の上枠および下枠と、前記上枠と前記下枠の周縁の間に着脱可能に連結された扉枠および支柱と、前記支柱を覆う側面板と、前記扉枠に着脱可能に取付けられた扉とで構成した本体部分と、
この本体部分の下側に分離可能に取付けられた基礎ベースと、
前記本体部分の上側に分離可能に取付けられた屋根部分とを備え、
前記扉枠の上端部に前記本体部分の底面と平行な上面を形成し、前記扉枠の下端部に前記本体部分の底面と平行な下面を形成し、前記上枠の端部下面は前記扉枠の上面に係合し、前記扉枠の下面は前記底面の一部を構成することを特徴とする受配電設備の箱体構造。
【請求項２】
本体部分を構成する上枠および下枠は４角に補強金具を有し、前記補強金具は断面を略Ｌ字形とし、かつ一端面を前記上枠および下枠に結合し、前記補強金具の一側面は扉面と平行である扉枠に着脱可能に結合している請求項１記載の受配電設備の箱体構造。
【請求項３】
本体部分を構成する支柱は断面を略コ字形とし、前記略コ字形を形成するそれぞれの面に等間隔に部品の取付用穴を設けるとともに支柱に寸法目測が容易な目盛りを設けた請求項２記載の受配電設備の箱体構造。
【請求項４】
本体部分を構成する上枠と下枠はそれぞれの対向する面に支柱固定金具を有し、前記支柱固定金具は一端面を前記上枠および下枠の前記面に結合し、前記支柱固定金具の一側面に前記支柱の一側面を着脱可能に結合している請求項３記載の受配電設備の箱体構造。
【請求項５】
支柱固定金具は断面を略Ｌ字形とし、その２面の外面が断面が略コ字形である支柱の内面の２面に密着している請求項４記載の受配電設備の箱体構造。
【請求項６】
断面が略コ字形である支柱の内面と、断面が略Ｌ字形である支柱固定金具の外面の対向する１対以上の対向面に、接合圧力を確保する手段を複数設けた請求項５記載の受配電設備の箱体構造。
【発明の詳細な説明】
【０００１】
【発明の属する技術分野】
この発明は、変圧器などを備えた受配電設備の箱体構造に関するものである。
【０００２】
【従来の技術】
近年、受配電設備の設置場所の設置基礎作りのため、受配電設備の箱体を構成する部材である基礎ベースを受配電設備から分離して、受配電設備の設置場所に搬送できる構造とし、しかも箱体を構成するそれぞれの部材が小形であって、製作や在庫管理が容易であり、表面処理や塗装などについても経年変化が少なく、長期にわたって安定した品質のものであることが求められている。
【０００３】
従来、この種の受配電設備は、図１９ないし図２１に示すような構成が一般的であった。以下その構成についてこれらの図面を参照しながら説明する。図１９ないし図２１に示すように、箱体構造は、本体部分１０１を有し、上部に屋根１０２が結合され、下部には基礎ベース１０３が結合され、本体部分１０１の前面１０１ａは前扉１０４が後面１０１ｂは後扉１０５がそれぞれ蝶番構造等により開閉自在に取付けられている。本体部分１０１の左面１０１ｃおよび右面１０１ｄはそれぞれ横並びとなる別の箱体の本体部分１０１と結合される構造であるが、受電設備の左端または右端となる本体部分１０１の左面１０１ｃまたは右面１０１ｂはそれぞれに側面板１０６，１０７が取付けられる構造であった。
【０００４】
【発明が解決しようとする課題】
しかしながら、本体部分１０１は、構成部材の端部が溶接接合によって一体に枠組みされているため、本体部分１０１が大形になっていた。一方、小形の受電設備について、本体部分１０１の構成および基礎ベース１０３が結合手段を用いて組立られる構造のものもあったが、変圧器などの受配電設備の構成機器を本体部分１０１に取付けた状態においての移動や運搬については、本体部分１０１が十分な強度でなかったため、本体部分１０１と基礎ベース１０３を分離させて、受配電設備を移動したり運搬することはできなかった。
【０００５】
このように、屋根部分１０２と本体部分１０１と基礎ベース１０３に分割できる構造である箱体の本体部分１０１が溶接結合により構成されていたことに大きな問題がある。また従来は、箱体の裏面の開口を閉じる背板にさらねじ用のさら座ぐりを設けているが、背板の加工として板金工程とは別に切削加工が必要であり、かつさらねじ用の取付穴位置または箱体に設けるさらねじ用のめねじ位置における寸法公差は、さらねじ間距離に関係なく０．５ｍｍ以内にする必要があった。
【０００６】
この発明は、上記課題を解決するもので、基礎ベースを設置場所の設置基礎作りのために設置場所に先送りが可能な受配電設備において、箱体を構成する部品の外形寸法を小さくでき、加工が容易であり、塗装等の表面処理において安定した品質を容易に確保できる受配電設備の箱体構造を提供することを目的としている。
【０００７】
また、背板にさらねじ頭のさら座ぐり切削加工を必要とせず、しかも複雑な寸法精度管理を必要としないで、量産に適した経済性の優れた受配電設備の箱体構造を提供することを目的としている。
【０００８】
【課題を解決するための手段】
請求項１記載の受配電設備の箱体構造は、相対向する長方形の上枠および下枠と、前記上枠と前記下枠の周縁の間に着脱可能に連結された扉枠および支柱と、前記支柱を覆う側面板と、前記扉枠に着脱可能に取付けられた扉とで構成した本体部分と、この本体部分の下側に分離可能に取付けられた基礎ベースと、前記本体部分の上側に分離可能に取付けられた屋根部分とを備え、前記扉枠の上端部に前記本体部分の底面と平行な上面を形成し、前記扉枠の下端部に前記本体部分の底面と平行な下面を形成し、前記上枠の端部下面は前記扉枠の上面に係合し、前記扉枠の下面は前記底面の一部を構成するものである。
【０００９】
請求項１記載の受配電設備の箱体構造によれば、受配電設備の基礎ベースが本体部分と分離させることができるので、基礎ベースが受配電設備を設置する基礎工事用に活用できるものであり、本体部分はその構成部材が組立られて構成されるため構成部品のそれぞれを小型にでき、構成部品の運搬効率の向上、材料管理に必要とする敷地面積が縮小でき管理負担を小さくでき、塗装の表面処理設備の縮小が可能になるとともに、耐錆力、組立作業性、剛体性および汎用性の優れた受配電設備の箱体構造を提供することができ、実用性が高い。また、本体部分の組立作業工程において高さ寸法の煩わしい調整作業が不要となり、受配電設備の組立作業効率の向上が可能になるとともに、寸法精度の高い受配電設備の箱体構造を提供することができる。
【００１０】
請求項２記載の受配電設備の箱体構造は、請求項１において、本体部分を構成する上枠および下枠は４角に補強金具を有し、補強金具は断面を略Ｌ字形とし、かつ一端面を上枠および下枠に結合し、補強金具の一側面は扉面と平行である扉枠に着脱可能に結合しているものである。
【００１１】
請求項２記載の受配電設備の箱体構造によれば、請求項１と同様な効果のほか、本体部分の組立作業工程において煩わしい奥行寸法の調整を不要にできるとともに、前記扉枠の取付角度設定を正確かつ容易にすることができ、受配電設備の組立作業効率の向上が可能になるとともに、寸法精度の高い受配電設備の箱体構造を提供することができる。
【００１２】
請求項３記載の受配電設備の箱体構造は、請求項２において、本体部分を構成する支柱は断面を略コ字形とし、略コ字形を形成するそれぞれの面に等間隔に部品の取付用穴を設けるとともに支柱に寸法目測が容易な目盛りを設けたものである。
【００１３】
請求項３記載の受配電設備の箱体構造によれば、請求項２と同様な効果のほか、支柱に下端部よりの寸法目測が容易な一定間隔の目盛りを設けたことにより、受配電設備を構成する部品の取付位置の設定が容易にでき、受配電設備の組立作業効率の向上が可能になるとともに、汎用性の優れた受配電設備の箱体構造を提供することができる。
【００１４】
請求項４記載の受配電設備の箱体構造は、請求項３において、本体部分を構成する上枠と下枠がそれぞれの対向する面に支柱固定金具を有し、支柱固定金具は一端面を上枠および下枠の前記面に結合し、支柱固定金具の一側面に支柱の一側面を着脱可能に結合しているものである。
【００１５】
請求項４記載の受配電設備の箱体構造によれば、支柱の取付状態を正確に容易に確定でき、受配電設備の組立作業効率の向上が可能である。
【００１６】
請求項５記載の受配電設備の箱体構造は、請求項４において、支柱固定金具は断面を略Ｌ字形とし、その２面の外面が断面が略コ字形である支柱の内面の２面に密着しているものである。
【００１７】
請求項５記載の受配電設備の箱体構造によれば、請求項４と同様な効果のほか、支柱の取付位置を正確に確定でき、取付位置の調整作業が不要となるとともに結合強度を向上させ箱体強度の剛体性を改善することができ、受配電設備の組立作業効率の向上が可能になるとともに、寸法精度の高い受配電設備の箱体構造を提供できる。
【００１８】
請求項６記載の受配電設備の箱体構造は、請求項５において、断面が略コ字形である支柱の内面と、断面が略Ｌ字形である支柱固定金具の外面の対向する１対以上の対向面に、接合圧力を確保する手段を複数設けたものである。
【００１９】
請求項６記載の受配電設備の箱体構造によれば、請求項５と同様な効果のほか、本体部分の剛体性を容易に確保することができ、剛体性の優れた受配電設備の箱体構造を提供することができる。
【００２０】
【発明の実施の形態】
この発明の第１の実施の形態である受配電設備について図１ないし図６に基づいて説明する。図２の受配電設備の箱体は基礎ベースＡｌｌと本体部分Ａ１２と屋根部分Ａ１３で構成され、受配電設備の移動や運搬に対して互いに分離可能な構造である。本体部分Ａ１２は、図１に示すように上枠１１と下枠１２と扉枠１３と支柱１４で構成され互いに着脱可能な構造である。上枠１１と下枠１２は奥行寸法の基準部品となる。また、扉枠１３は盤幅寸法の基準部品となる。
【００２１】
図３は、上枠１１と下枠１２と扉枠１３の結合方法の詳細説明図である。上枠１１は断面略Ｌ字の補強金具１１ａと支柱固定金具１１ｂと扉枠固定金具１１ｃとを設け、下枠１２は断面略Ｌ字の補強金具１２ａと支柱固定金具１２ｂとを設け、扉枠１３は本体部分Ａ１２の底面と平行な上面１３ｃと下面１３ｂおよび扉面と平行な上下枠取付面１３ａを形成している。
【００２２】
扉枠１３を形成する下面１３ｂは本体部分Ａ１２の底面の一部分を構成し、上枠１１に設けた扉枠固定金具１１ｃの下面と扉枠１３を形成する上面１３ｃは、互いに対向して結合するごとく構成され、扉枠固定金具１１ｃと上面１３ｃにはねじ挿入穴１１ｃｌ，１３ｃｌをそれぞれ複数設け、ねじ（図示せず）により上枠１１と扉枠１３を固定する。なお、上面１３ｃは本体部分Ａ１２の高さ寸法の基準面となる．また、上枠１１と下枠１２に設けた補強金具１１ａ，１２ａの一側面と扉枠１３を形成する上下枠取付面１３ａは、互いに対向して結合するように構成され補強金具１１ａ，１２ａと上下枠取付面１３ａには、ねじ挿入穴１１ａｌ，１２ａｌ，１３ａｌをそれぞれ複数設け、ねじ（図示せず）により上枠１１と扉枠１３ならびに下枠１２と扉枠１３を固定する。
【００２３】
図４は、支柱１４の形状の詳細説明図である。支柱１４の断面は略コ字であり、支柱１４を形成するそれぞれの面には等間隔に部品の取付用穴１４ａおよび目盛りとしての目盛穴１４ｂをそれぞれ複数設けてある。目盛穴１４ｂは支柱１４の下端部よりの上部に対し寸法目測が容易な目盛りとしている。例えば、１個の目盛穴１４ｂに対して部品の取付用穴１４ａは５個、１０個、１５個と様々な数が考えられる。なお、目盛穴１４ａは部品の取付用穴に使用してもよい。
【００２４】
図５および図６は、支柱１４と上枠１１および下枠１２の固定方法の詳細説明図である。支柱固定金具１１ｂ，１２ｂは、上枠１１と下枠１２の対向する一側面にそれぞれ固定されており、支柱固定金具１１ｂ，１２ｂと支柱１４には、ねじ挿入穴１１ｂｌ，１２ｂｌ，１４ａｌをそれぞれ複数設け、ねじ（図示せず）により支柱１４と上枠１１および下枠１２を固定する。
【００２５】
なお、図６は図５中Ｘ−Ｘ′の断面図である。断面が略Ｌ字である支柱固定金具１２ｂを形成する２面の外面と、断面が略コ字形である支柱１４を形成する２面の内面が、密着するように配されていて、接合圧力を確保する手段として、固定用ねじ１５ＢＴが支柱１４に設けたねじ挿入穴１４ａｌと、支柱固定金具１２ｂに設けたねじ挿入穴１２ｂｌとを貫通し、固定用ナット１５Ｎにより締付け固定されている。なお、支柱１４と支柱固定金具１１ｂ，１２ｂの材質および厚さを同じにすると容易にこの固定方法が実現できる。１５Ｗは平座金、１５ＳＷはばね座金である。
【００２６】
また上枠１１と下枠１２の周囲の間で扉枠１３の間の支柱１４を覆うように側面板（図示せず）が着脱可能に取付けられ、扉枠１３に扉（図示せず）が着脱可能に取付けられる。
【００２７】
この発明の参考例１である受配電設備について図７ないし図１０を用いて説明する。図８の受配電設備の箱体は基礎べースＡ２１と本体部分Ａ２２と屋根部分Ａ２３で構成され、互いに分離可能な構造である。本体部分Ａ２２は図７に示すように側面枠７１と扉枠７２と補強金具７３と支柱７４で構成され、互いに着脱可能な構造である。側面枠７１には柱７１ｂが溶接接合により結合されている。柱７１ｂは第１の実施の形態の図４に示すような特徴を持った形状でも良い。また側面枠７１は奥行寸法の基準部品となる。扉枠７２は盤幅寸法の基準部品となる。
【００２８】
図９は、側面枠７１と扉枠７２と補強金具７３の結合方法の詳細説明図である。側面枠７１は断面略Ｌ字の固定金具７１ａを設け、扉枠７２は本体部分Ａ２２の底面と平行な上面７２ｃおよび下面７２ｂならびに扉面と平行な上下枠取付面７２ａを形成している。扉枠７２を形成する下面７２ｂは本体部分Ａ２２の底面の一部分を構成し、扉枠７２を形成する上面７２ｃは本体部分Ａ２２の天井面の一部分を構成する。上面７２ｃは本体部分Ａ２２の高さ寸法の基準面となる。側面枠７１に設けた補強金具となる固定金具７１ａの一側面と扉枠７２を形成する側面枠取付面７２ａは、互いに対向して結合するように構成され、固定金具７１ａと側面枠取付面７２ａには、ねじ挿入穴７１ａｌ，７２ａｌをそれぞれ複数設け、ねじ（図示せず）により側面枠７１と扉枠７２を固定する。
【００２９】
また、側面枠７１を形成する補強金具取付面７１ｃと補強金具７３を形成する側面枠取付面７３ａおよび扉枠７２を形成する補強金具取付面７２ｄと補強金具７３を形成する扉枠取付面７３ｂは、互いに結合するように構成され、補強金具取付面７１ｃと補強金具取付面７２ｄと側面枠取付面７３ａと扉枠取付面７３ｂには、ねじ挿入穴７１ｃｌ，７２ｄｌ，７３ａｌ，７３ｂｌをそれぞれ複数設け、ねじ（図示せず）により側面枠７１と扉枠７２および補強金具７３を固定する。
【００３０】
図１０は支柱７４と側面枠７１の固定方法の詳細説明図である。側面枠７１を形成する支柱取付面７１ｄは側面枠７１を構成する断面が略Ｌ字形での上部分と下部分を形成する一側面であり同一平面上に構成されており、側面枠７１と支柱７４には、ねじ挿入穴７１ｄｌ，７４ａ１をそれぞれ設け、ねじ（図示せず）により側面枠７１と支柱７４を固定する。
【００３１】
なお、支柱７４は図４に示すような特徴を持った形状でも良い。また、側面枠７１を構成する上部分および下部分の断面形状は、略Ｌ字形を図示したが、略コ字形や略Ｔ字形でも良い。そして側面枠７１に側面板（図示せず）が、扉枠７２に扉（図示せず）がそれぞれ着脱可能に取付けられる。
【００３２】
この発明の参考例２である受配電設備について図１１ないし図１４を用いて説明する。図１４の受配電設備の箱体は基礎ベースＡ３１と本体部分Ａ３２と屋根部分Ａ３３で構成され、互いに分離可能な構造である。本体部分Ａ３２は、図１３に示すように前本体部分Ａ３２１と後本体部分Ａ３２２と本体補強金具９３で構成され互いに着脱可能な構造である。
【００３３】
図１１は、前本体部分Ａ３２１の構成図である。前本体部分Ａ３２１は、左右の前側面枠９１と扉枠７２と補強金具７３で構成され、互いに着脱可能な構造である。前側面枠９１には柱９１ｂが溶接接合により結合されている。柱９１ｂは図４に示すような特徴を持った形状でも良い。前側面枠９１は奥行寸法の基準部品となる。扉枠７２は盤幅寸法の基準部品となる。また、前側面枠９１と扉枠７２と補強金具７３の結合方法の詳細図は図９に示したとおりである。
【００３４】
図１２は、後本体部分Ａ３２２の構成図である。後本体部分Ａ３２２は、左右の後側面枠９２と扉枠７２と補強金具７３と支柱７４で構成され、互いに着脱可能な構造である。後側面枠９２には柱９２ｂが溶接接合により結合されている。柱９２ｂは図４に示すような特徴を持った形状でも良い。後側面枠９２は奥行寸法の基準部品となる。また、扉枠７２は盤幅寸法の基準部品となる。
【００３５】
また、後側面枠９２と扉枠７２と補強金具７３の結合方法の詳細図は図９に示したとおりである。後側面枠９２と支柱７４の結合方法の詳細図は図１０に示したとおりである。すなわち支柱７４のねじ挿入穴７４ａ１に整合するねじ挿入穴９２ｄ１を支柱取付面９２ｄに形成する。支柱７４は図４に示すような特徴を持った形状でも良い。また、側面枠９１，９２を構成する上部分９１ｃ，９２ｃおよび下部分９１ｃ，９２ｃの断面形状は、略Ｌ字形を図示したが、略コ字形や略Ｔ字形でも良い。
【００３６】
また本体部分を構成する側面枠９１，９２は図９にも示すように、側面枠９１，９２の四角に補強金具９１ａ，９２ａを有し、補強金具９１ａ，９２ａは断面を略Ｌ字形とし、一端を側面枠９１，９２に結合し、補強金具９１ａ，９２ａの一側面は扉面に平行で扉枠７２に対向して着脱可能に結合されている。なお扉枠７２および側面枠９１，９２の上面および下面は本体部分の上面および底面の１部を構成する。
【００３７】
図１３は、前本体部分Ａ３２１と後本体部分Ａ３２２と本体補強金具９３の結合方法の詳細説明図である。前側面枠９１は断面略Ｌ字形であって補強金具となる固定金具９１ｅの一端を結合して設け、後側面枠９２は断面略Ｌ字形であって補強金具となる柱９２ｂの両端を結合して設け、固定金具９１ｅを形成する一側面と柱９２ｂを形成する一側面は扉面と平行であって互いに対向して結合するように構成され、固定金具９１ｅと柱９２ｂにはねじ挿入穴９１ｅｌ，９２ｂｌをそれぞれ設け、ねじ（図示せず）により前側面枠９１と後側面枠９２を固定する。
【００３８】
本体補強金具９３は断面略Ｌ字形であり、本体補強金具９３を形成する側面枠取付面９３ａと、前右側面枠および前左側面枠を構成する前側面枠９１、ならびに後右側面枠および前右側面枠を構成する後側面枠９２を形成する補強金具取付面９１ｃ，９２ｃとは、互いに対向して結合するように構成され、側面枠取付面９３ａと補強金具取付面９１ｃ，９２ｃにはねじ挿入穴９３ａｌ，９１ｃｌ，９２ｃｌをそれぞれ設け、ねじ（図示せず）により本体補強金具９３と前側面枠９１と後側面枠９２を固定する。また本体補強金具９３の端面は扉面と平行に形成している。なお、後側面枠９２を構成する柱９２ｂを前側面枠９１に設け、その代わりに前側面枠９１を構成する固定金具９１ｅを後側面枠９２に設けても良い。また本体補強金具９３の断面形状は略コ字形でも良い。
【００３９】
そして、側面枠９１，９２に側面板（図示せず）が、扉枠７２に扉（図示せず）がそれぞれ着脱可能に連結される。
【００４０】
この発明の参考例３である受配電設備について図１５ないし図１８を用いて説明する。図１５および図１６に示す受配電設備の箱体Ｂｌは背面に凹凸の無い構造であり、背面は上背板Ｂ２と下背板Ｂ３により構成されている。上背板Ｂ２および下背板Ｂ３の角部分は、コーナーカットが施されており、下部には滑り止めとなる当て板金具Ｂ２１，Ｂ３１が設けられている。
【００４１】
箱体Ｂｌと上背板Ｂ２と下背板Ｂ３の着脱自在な結合方法の詳細図を、図１７および図１８に示す。図１７は図１６中におけるＺ−Ｚ′の断面図である。上背板Ｂ２にはスタットボルトＢ２ＢＴが設けてあり、箱体Ｂｌと上背板Ｂ２は、上背板Ｂ２の内面に溶接接合により設けてあるスタットボルトＢ２ＢＴと固定用平座金ＢＷｌと固定用ばね座金ＢＳＷｌと固定用ナットＢＮ１により固定されている。
【００４２】
この場合、スタットボルトＢ２ＢＴの取付幅Ｗｌと、スタットボルトＢ２ＢＴの直径ｗ２と、固定用平座金ＢＷ１の外形寸法（直径）Ｗ３と、箱体Ｂ１に設けた背板取付枠の背板取付用開口穴の盤幅開口寸法である開口幅Ｗ４の関係は、Ｗｌ＋Ｗ２＜Ｗ４＜Ｗｌ＋Ｗ３となるように、各寸法Ｗｌ、Ｗ２、Ｗ３、Ｗ４を設定する。すなわち、スタットボルトＢ２ＢＴの間隔は背板取付枠の盤幅開口幅Ｗ４よりも狭く、背板取付枠の盤幅開口幅Ｗ４と平座金ＢＷ１の外形寸法の差より広くなるようにしている。したがって、スタットボルトＢ２ＢＴを開口穴に挿入でき、その縁部に平座金ＢＷ１で締付け固定できる。また固定用平座金ＢＷｌはテーパーワッシヤでも良い。下背板Ｂ３も同じ構造であり、スタットボルトを（Ｂ３ＢＴ）で表している。
【００４３】
図１８は図１６中におけるＹ−Ｙ′の断面図である。上背板Ｂ２には滑り止め用の当て板金具Ｂ２１が設けてあり、箱体Ｂ１に上背板Ｂ２および下背板Ｂ３を取付けると、上背板Ｂ２の外面Ｂ２ａと下背板Ｂ３の外面Ｂ３ａは同一平面上になる構造である。なお、当て板金具Ｂ２１の断面を略Ｌ字形にすると機械強度を容易に上げることが可能である。また、上背板Ｂ２と下背板Ｂ３を構成する板材の厚さを同じにすると、構造が容易に実現できる。
【００４４】
【発明の効果】
請求項１記載の受配電設備の箱体構造によれば、受配電設備の基礎ベースが本体部分と分離させることができるので、基礎ベースが受配電設備を設置する基礎工事用に活用できるものであり、本体部分はその構成部材が組立られて構成されるため構成部品のそれぞれを小型にでき、構成部品の運搬効率の向上、材料管理に必要とする敷地面積が縮小でき管理負担を小さくでき、塗装の表面処理設備の縮小が可能になるとともに、耐錆力、組立作業性、剛体性および汎用性の優れた受配電設備の箱体構造を提供することができ、実用性が高い。また、本体部分の組立作業工程において煩わしい奥行寸法の調整を不要にできるとともに、前記扉枠の取付角度設定を正確かつ容易にすることができ、受配電設備の組立作業効率の向上が可能になるとともに、寸法精度の高い受配電設備の箱体構造を提供することができる。
【００４５】
請求項２記載の受配電設備の箱体構造によれば、請求項１と同様な効果のほか、本体部分の組立作業工程において煩わしい奥行寸法の調整を不要にできるとともに、前記扉枠の取付角度設定を正確かつ容易にすることができ、受配電設備の組立作業効率の向上が可能になるとともに、寸法精度の高い受配電設備の箱体構造を提供することができる。
【００４６】
請求項３記載の受配電設備の箱体構造によれば、請求項２と同様な効果のほか、支柱に下端部よりの寸法目測が容易な一定間隔の目盛りを設けたことにより、受配電設備を構成する部品の取付位置の設定が容易にでき、受配電設備の組立作業効率の向上が可能になるとともに、汎用性の優れた受配電設備の箱体構造を提供することができる。
【００４７】
請求項４記載の受配電設備の箱体構造によれば、支柱の取付状態を正確に容易に確定でき、受配電設備の組立作業効率の向上が可能である。
【００４８】
請求項５記載の受配電設備の箱体構造によれば、請求項４と同様な効果のほか、支柱の取付位置を正確に確定でき、取付位置の調整作業が不要となるとともに結合強度を向上させ箱体強度の剛体性を改善することができ、受配電設備の組立作業効率の向上が可能になるとともに、寸法精度の高い受配電設備の箱体構造を提供できる。
【００４９】
請求項６記載の受配電設備の箱体構造によれば、請求項５と同様な効果のほか、本体部分の剛体性を容易に確保することができ、剛体性の優れた受配電設備の箱体構造を提供することができる。
【図面の簡単な説明】
【図１】  この発明の第１の実施の形態の受配電設備の本体部分の分解斜視図である。
【図２】  受配電設備の分解斜視図である。
【図３】  本体部分の上枠と下枠と扉枠の結合を示す部分分解斜視図である。
【図４】  本体部分の支柱の斜視図である。
【図５】  支柱と上枠および下枠の結合を示す部分分解斜視図である。
【図６】  図５のＸ−Ｘ′線断面図である。
【図７】  参考例１の本体部分の分解斜視図である。
【図８】  その受配電設備の分解斜視図である。
【図９】  扉枠と側面枠との結合を示す部分分解斜視図である。
【図１０】  側面枠と支柱との結合を示す部分分解斜視図である。
【図１１】  参考例２の前本体部分の分解斜視図である。
【図１２】  後本体部分の分解斜視図である。
【図１３】  前本体部分と後本体部分の結合構造を示す分解斜視図である。
【図１４】  受配電設備の分解斜視図である。
【図１５】  参考例３の背面構造を示す分解斜視図である。
【図１６】  上背板および下背板を取付けた状態の斜視図である。
【図１７】  図１６のＺ−Ｚ′線の部分分解断面図である。
【図１８】  図１６のＹ−Ｙ′線の部分分解断面図である。
【図１９】  従来例の分解斜視図である。
【図２０】  従来例の側面図である。
【図２１】  従来例の正面図である。
【符号の説明】
Ａ１１  基礎ベース
Ａ１２  本体部分
Ａ１３  屋根部分
Ａ２１  基礎ベース
Ａ２２  本体部分
Ａ２３  屋根部分
Ａ３１  基礎ベース
Ａ３２  本体部分
Ａ３３  屋根部分
Ｂ１  箱体
Ｂ２  背板
Ｂ３  背板
Ｂ２１  当て板金具
Ｂ３１  当て板金具
Ａ３２１  前本体部分
Ａ３２２  後本体部分
１１  上枠
１１ａ  補強金具
１１ｂ  支柱固定金具
１２  下枠
１２ａ  補強金具
１２ｂ  支柱固定金具
１３  扉枠
１３ａ  上下枠取付面
１３ｂ  下面
１３ｃ  上面
１４  支柱
１４ａ  取付用穴
１４ｂ  目盛穴
７１  側面枠
７１ａ  固定金具
７１ｂ  柱
７２  扉枠
７２ａ  上下枠取付面
７２ｂ  下面
７２ｃ  上面
７３  補強金具
７４  支柱
９１  前側面枠
９２  後側面枠
９３  本体補強金具
Ｂ２ＢＴ  スタットボルト
ＢＷ１  平座金
ＢＮ１  固定用ナット
Ｗ１  スタットボルトの取付幅
Ｗ３  平座金の外形寸法
Ｗ４  開口幅
【図１】
0003953568.tif 000002
【図２】
0003953568.tif 000003
【図３】
0003953568.tif 000004
【図４】
0003953568.tif 000005
【図５】
0003953568.tif 000006
【図６】
0003953568.tif 000007
【図７】
0003953568.tif 000008
【図８】
0003953568.tif 000009
【図９】
0003953568.tif 000010
【図１０】
0003953568.tif 000011
【図１１】
0003953568.tif 000012
【図１２】
0003953568.tif 000013
【図１３】
0003953568.tif 000014
【図１４】
0003953568.tif 000015
【図１５】
0003953568.tif 000016
【図１６】
0003953568.tif 000017
【図１７】
0003953568.tif 000018
【図１８】
0003953568.tif 000019
【図１９】
0003953568.tif 000020
【図２０】
0003953568.tif 000021
【図２１】
0003953568.tif 000022